【誤訳訂正書】
【提出日】令和2年3月4日(2020.3.4)
【誤訳訂正１】
【訂正対象書類名】特許請求の範囲
【訂正対象項目名】全文
【訂正方法】変更
【訂正の内容】
【特許請求の範囲】
【請求項１】
少なくとも１個の物体（１１２）を光学的に検出する検出器（１１０）であって、
少なくとも１個の縦方向光学センサ（１１４）であって、少なくとも１つのセンサ領域（１３０）を有し、光ビーム（１３２）による前記センサ領域（１３０）の照明に依存する形で少なくとも１つの縦方向センサ信号を生成するよう設計され、前記縦方向センサ信号は、前記照明の総出力が同じである場合、前記センサ領域（１３０）内の光ビーム（１３２）のビーム断面積（１７４）に依存し、前記センサ領域（１３０）は電流持続能力のある少なくとも１種の材料を含み、前記材料の少なくとも１つの特性は、前記照明の総出力が同じである場合、前記センサ領域（１３０）内の前記光ビーム（１３２）の前記ビーム断面積に依存し、前記縦方向センサ信号は前記少なくとも１つの特性に依存する、縦方向光学センサ（１１４）と、
少なくとも１個の評価装置（１４０）であって。前記縦方向光学センサ（１１４）の縦方向センサ信号を評価することによって、前記物体（１１２）の縦方向位置に関する少なくとも１項目の情報を生成するよう設計される、評価装置（１４０）と、を含む検出器。
【請求項２】
前記センサ領域（１３０）は少なくとも１種の光伝導性材料（１３４）を含み、前記光伝導性材料（１３４）の導電率は、前記照明の総出力が同じである場合、センサ領域（１３０）内の光ビーム（１３２）の前記ビーム断面積（１７４）に依存し、前記縦方向センサ信号は前記導電率に依存する請求項１に記載の検出器（１１０）。
【請求項３】
前記光導電性材料（１３４）が硫化鉛（ＰｂＳ）、硫化銅インジウム（ＣＩＳ）、セレン化銅インジウムガリウム（ＣＩＧＳ）、硫化銅亜鉛スズ（ＣＺＴＳ）、セレン化鉛（ＰｂＳｅ）、セレン化銅亜鉛スズ（ＣＺＴＳｅ）、テルル化カドミウム（ＣｄＴｅ）、テルル化水銀カドミウム（ＨｇＣｄＴｅ）、テルル化水銀亜鉛（ＨｇＺｎＴｅ）、硫セレン化鉛（ＰｂＳＳｅ）、銅−亜鉛−スズ−硫黄−セレンカルコゲニド（ＣＺＴＳＳｅ）、非晶質シリコン（ａ−Ｓｉ）、非晶質シリコン（ａ−Ｓｉ）を含む合金、微結晶シリコン（μｃ−Ｓｉ）、ゲルマニウム（Ｇｅ）、ヒ化インジウム（ＩｎＡｓ）、ヒ化インジウムガリウム（ＩｎＧａＡｓ）、アンチモン化インジウム（ＩｎＳｂ）からなる群から選択され、前記プニクトゲニドが窒化インジウム（ＩｎＮ）、窒化ガリウム（ＧａＮ）、窒化インジウムガリウム（ＩｎＧａＮ）、リン化インジウム（ＩｎＰ）、リン化ガリウム（ＧａＰ）、リン化インジウムガリウム（ＩｎＧａＰ）、ヒ化インジウム（ＩｎＡｓ）、ヒ化ガリウム（ＧａＡｓ）、ヒ化インジウムガリウム（ＩｎＧａＡｓ）、アンチモン化インジウム（ＩｎＳｂ）、アンチモン化ガリウム（ＧａＳｂ）、アンチモン化インジウムガリウム（ＩｎＧａＳｂ）、リン化インジウムガリウム（ＩｎＧａＰ）、ヒ化リン化ガリウム（ＧａＡｓＰ）、およびリン化アルミニウムガリウム（ＡｌＧａＰ）、ならびにこれらの固溶体および／またはドープ変形から成るから成る群から選択される請求項２に記載の検出器（１１０）。
【請求項４】
前記光伝導性材料（１３４）がドープシリコンを、特にシリコンフロートゾーンウェハーとして含み、ドープシリコンが好ましくは１０１３ｃｍ−３以下のドーパント濃度、５・１０２・Ωｃｍ以上の導電性、および／または５００μｍ以下の厚さを示す請求項１から３のいずれか一項に記載の検出器（１１０）。
【請求項５】
前記光伝導性材料（１３４）がコロイド膜（２６２）として提供され、前記コロイド膜（２６２）が量子ドット（２６４）を含む請求項１から４のいずれか一項に記載の検出器（１１０）。
【請求項６】
前記光伝導性材料（１３４）が有機光伝導性材料であり、前記有機光伝導性材料が少なくとも１個の共役芳香族分子、特に色素または顔料、および／または電子ドナー材料と電子アクセプタ材料の混合物を含む請求項１から５のいずれか一項に記載の検出器（１１０）。
【請求項７】
有機光伝導性材料がフタロシアニン、ナフタロシアニン、サブフタロシアニン、ペリレン、アントラセン、ピレン、オリゴチオフェン、ポリチオフェン、フラーレン、インジゴイド色素、ビスアゾ顔料、スクアリリウム色素、チアピリリウム色素、アズレニウム色素、ジチオケトピロロピロール、キナクリドン、ジブロモアンタンスロン、ポリビニルカルバゾール、これらの誘導体または組み合わせから成る群から選択される化合物を含む請求項６に記載の検出器（１１０）。
【請求項８】
電子ドナー材料が有機ドナーポリマー、特にポリ［３−ヘキシルチオフェン−２，５．ジイル］（Ｐ３ＨＴ）、ポリ［３−（４−ｎ−オクチル）−フェニルチオフェン］（ＰＯＰＴ）、ポリ［３−１０−ｎ−オクチル−３−フェノチアジン−ビニレンチオフェン−コ−２，５−チオフェン］（ＰＴＺＶ−ＰＴ）、ポリ［４，８−ビス［（２−エチルヘキシル）オキシ］ベンゾ［１，２−ｂ：４，５−ｂ’］ジチオフェン−２，６−ジイル］［３−フルオロ−２−［（２−エチルヘキシル）カルボニル］チエノ［３，４−ｂ］チオフェンジイル］（ＰＴＢ７）、ポリ［チオフェン−２，５−ジイル−オルト−［５，６−ビス（ドデシルオキシ）ベンゾ［ｃ］［１，２，５］チアジアゾール］−４，７−ジイル］（ＰＢＴ−Ｔ１）、ポリ［２，６−（４，４−ビス−（２−エチルヘキシル）−４Ｈ−シクロペンタ［２，１−ｂ；３，４−ｂ’］ジチオフェン）−オルト−４，７（２，１，３−ベンゾチアジアゾール）］（ＰＣＰＤＴＢＴ）、ポリ［５，７−ビス（４−デカニル−２−チエニル）−チエノ（３，４−ｂ）ジアチアゾールチオフェン−２，５］（ＰＤＤＴＴ）、ポリ［Ｎ−９’−ヘプタデカニル−２，７−カルバゾール−オルト−５，５−（４’，７’−ジ−２−チエニル−２’，１’，３’−ベンゾチアジアゾール）］（ＰＣＤＴＢＴ）、ポリ［（４，４’−ビス（２−エチルヘキシル）ジチエノ［３，２−ｂ；２’，３’−ｄ］シロール）−２，６−ジイル−オルト−（２，１，３−ベンゾチアジアゾール）−４，７−ジイル］（ＰＳＢＴＢＴ）、ポリ［３−フェニルヒドラゾンチオフェン］（ＰＰＨＴ）、ポリ［２−メトキシ−５−（２−エチルヘキシルオキシ）−１，４−フェニレンビニレン］（ＭＥＨ−ＰＰＶ）、ポリ［２−メトキシ−５−（２’−エチルヘキシルオキシ）−１，４−フェニレン−１，２−エテニレン−２，５−ジメトキシ−１，４−フェニレン−１，２−エテニレン］（Ｍ３ＥＨ−ＰＰＶ）、ポリ［２−メトキシ−５−（３’，７’−ジメチルオクチルオキシ）−１，４−フェニレンビニレン］（ＭＤＭＯ−ＰＰＶ）、ポリ［９，９−ジ−オクチルフルオレン−コ−ビス−Ｎ，Ｎ−４−ブチルフェニル−ビス−Ｎ，Ｎ−フェニル−１，４−フェニレンジアミン］（ＰＦＢ）、またはこれらの誘導体、修飾体もしくは混合物のうち１種を含む請求項６または７に記載の検出器（１１０）。
【請求項９】
電子アクセプタ材料がフラーレンベースの電子アクセプタ材料、特に［６，６］−フェニル−Ｃ６１−酪酸メチルエステル（ＰＣ６０ＢＭ）、［６，６］−フェニル−Ｃ７１−酪酸メチルエステル（ＰＣ７０ＢＭ）、［６，６］−フェニル−Ｃ８４−酪酸メチルエステル（ＰＣ８４ＢＭ）、インデン−Ｃ６０ビス付加体（ＩＣＢＡ）、１つまたは２つの付着オリゴエーテル（ＯＥ）鎖（それぞれＣ７０−ＤＰＭ−ＯＥまたはＣ７０−ＤＰＭ−ＯＥ２）を含むジフェニルメタノフラーレン（ＤＰＭ）成分、またはこれらの誘導体、修飾体もしくは混合物のうち１種を含む請求項６から８のいずれか一項に記載の検出器（１１０）。
【請求項１０】
電子アクセプタ材料が有機アクセプタポリマー、特にシアノ−ポリ［フェニレンビニレン］（ＣＮ−ＰＰＶ）、ポリ［５−（２−（エチルヘキシルオキシ）−２−メトキシシアノテレフタルイデン］（ＭＥＨ−ＣＮ−ＰＰＶ）、ポリ［オキサ−１，４−フェニレン−１，２−（１−シアノ）−エチレン−２，５−ジオクチルオキシ−１，４−フェニレン−１，２−（２−シアノ）−エチレン−１，４−フェニレン］（ＣＮ−エーテル−ＰＰＶ）、ポリ［１，４−ジオクチルオキシ−ｐ−２，５−ジシアノフェニレンビニレン］（ＤＯＣＮ−ＰＰＶ）、ポリ［９，９’−ジオクチルフルオレン−コ−ベンゾチアジアゾール］（ＰＦ８ＢＴ）、またはこれらの誘導体、修飾体もしくは混合物のうち１種を含む請求項６から９のいずれか一項に記載の検出器（１１０）。
【請求項１１】
前記光学検出器が前記センサ領域（１３０）の少なくとも一部の電気抵抗または導電性の少なくとも１回または複数回の測定によって、具体的には少なくとも１回の電流−電圧測定および／または少なくとも１回の電圧−電流測定の実施によって、前記縦方向センサ信号を生成するよう適応された請求項１から１０のいずれか一項に記載の検出器（１１０）。
【請求項１２】
材料全体にわたりバイアス電圧が印加される請求項１１に記載の検出器（１１０）。
【請求項１３】
バイアス電圧源（１５０）および負荷抵抗器が前記縦方向光学センサ（１１４）と直列に配列される請求項１２に記載の検出器（１１０）。
【請求項１４】
前記センサ領域（１３０）の導電性が、前記照明の総出力が同じである場合、前記センサ領域（１３０）内で前記光ビーム（１３２）によって生成される光点のビーム幅の減少に伴って減少する請求項１から１３のいずれか一項に記載の検出器（１１０）。
【請求項１５】
前記縦方向光学センサ（１１４）が少なくとも１つの光伝導性材料（１３４）の層（１６８）およびこの層（１６８）と接触する少なくとも２個の電極（１７６、１７８）とを含み、前記少なくとも２個の電極（１７６、１７８）が前記光伝導性材料（１３４）の層（１６８）において別々の位置に適用される請求項１から１４のいずれか一項に記載の検出器（１１０）。
【請求項１６】
前記少なくとも２個の電極（１７６、１７８）が層（１６８）の同じ側に適用される請求項１５に記載の検出器（１１０）。
【請求項１７】
前記光伝導性材料（１３４）の層（１６８）とこの層（１６８）と接触する前記電極（１７６、１７８）のうち少なくとも１個との間の境界にショットキーバリアが形成される請求項１５または１６に記載の検出器（１１０）。
【請求項１８】
少なくとも１つの前記光伝導性材料（１３４）の層（１６８）が少なくとも１個の基板（１７０）へ直接または間接的に適用される請求項１５から１７のいずれか一項に記載の検出器（１１０）。
【請求項１９】
前記基板（１７０）が絶縁性基板、好ましくはセラミック基板（１７２）である請求項１８に記載の検出器（１１０）。
【請求項２０】
前記基板（１７０）が少なくとも部分的に透明または透光性である請求項１８または１９に記載の検出器（１１０）。
【請求項２１】
前記少なくとも１個の縦方向光学センサ（１１４）が少なくとも１個の透明な縦方向光学センサを含む請求項１から２０のいずれか一項に記載の検出器（１１０）。
【請求項２２】
前記検出器（１１０）が少なくとも２個の縦方向光学センサ（１１４）から成る少なくとも１つのスタックを含む請求項１から２１のいずれか一項に記載の検出器（１１０）。
【請求項２３】
前記検出器（１１０）が少なくとも２個の縦方向光学センサ（１１４）から成る少なくとも１つの配列を含み、配列が光軸（１１６）に対して直角に配列される請求項１から２２のいずれか一項に記載の検出器（１１０）。
【請求項２４】
配列内の複数の前記縦方向光学センサ（１１４）が複数の個別の抵抗器から成る１つのマトリクス内に配列され、前記マトリクス内の個々の抵抗器の合計抵抗が前記配列内で入射光ビーム（１３２）によって照らされる前記縦方向光学センサ（１１４）の数、Ｎに依存し、前記光ビーム（１３２）によって照らされる前記縦方向光学センサ（１１４）の数Ｎを判定するよう前記評価装置（１４０）が適応され、評価装置がさらに、前記光ビーム（１３２）によって照らされるＮ個の前記縦方向光学センサ（１１４）の使用によって物体（１１２）の少なくとも１つの縦座標を判定するように適用された請求項２３に記載の検出器（１１０）。
【請求項２５】
前記縦方向光学センサ（１１４）がさらに、前記光ビーム（１３２）による前記センサ領域（１３０）の照明が付加的に前記センサ領域（１３０）内の温度上昇を引き起こし、前記センサ領域（１３０）の導電性が、照明の総出力が同じである場合、前記センサ領域（１３０）内の温度のさらに依存し、前記縦方向センサ信号が、総出力が同じである場合、前記センサ領域（１３０）内の温度にさらに依存するように設計された請求項１から２４のいずれか一項に記載の検出器（１１０）。
【請求項２６】
評価装置（１４０）が照明の幾何形状と、検出器（１１０）を基準とする物体（１１２）の相対位置との間における少なくとも１つの所定の関係から、物体（１１２）の縦方向位置に関する情報のうち少なくとも１つの項目を生成するように設計される、請求項１から２５のいずれか一項に記載の検出器（１１０）。
【請求項２７】
評価装置（１４０）が少なくとも１個の縦方向センサ信号からの光ビーム（１３２）のビーム断面（１７４）の判定によって、物体（１１２）の縦方向位置に関する情報のうち少なくとも１つの項目を生成するように適合される、請求項２６に記載の検出器（１１０）。
【請求項２８】
前記物体（１１２）の縦方向位置に関する前記少なくとも１項目の情報を判定するため、前記光ビーム（１３２）の前記ビーム断面積（１７４）を前記光ビーム（１３２）の既知のビーム特性と比較するよう、前記評価装置（１４０）が適応される請求項２７に記載の検出器（１１０）。
【請求項２９】
前記光ビーム（１３２）が非変調連続波光ビームである請求項１から２８のいずれか一項に記載の検出器（１１０）。
【請求項３０】
さらに、
−少なくとも１個の横方向光学センサ（１８４）を含み、前記横方向光学センサ（１８４）が前記物体（１１２）から前記検出器（１１０）へと移動中の前記光ビーム（１３２）の横方向位置を判定するよう適応されており、前記横方向位置が前記検出器の光軸（１１６）に対して垂直な少なくとも１つの次元での位置であり、横方向光学センサ（１８４）が少なくとも１個の横方向センサ信号を生成するよう適応され、
前記評価装置（１４０）がさらに、前記横方向センサ信号の評価によって前記物体（１１２）の横方向位置に関する少なくとも１項目の情報を生成するよう設計されている、
請求項１から２９のいずれか一項に記載の検出器（１１０）。
【請求項３１】
前記横方向光学センサ（１８４）が、少なくとも１個の第１電極（１９０）、少なくとも１個の第２の電極（１９２）および２つの別個の透明伝導性酸化物（１８８）層（１８６）の間に埋め込まれた少なくとも１種の光伝導性材料（１３４）層（１６８）を有する光検出器であり、前記横方向光学センサ（１８４）がセンサエリア（１９８）を有し、前記第１電極および前記第２電極が前記透明伝導性酸化物（１８８）層（１８６）のうち１つにおいて別々の位置に適用され、少なくとも１個の横方向光学センサ信号が前記センサエリア（１９８）内での前記光ビーム（１３２）の位置を示す請求項３０に記載の検出器（１１０）。
【請求項３２】
少なくとも１個の電極（１９０、１９２）が少なくとも２個の部分電極（１９４、１９６）を有する分割電極であり、前記部分電極（１９４、１９６）を通る電流は、前記センサエリア（１９８）内での前記光ビーム（１３２）の位置に依存し、部分電極（１９４、１９６）を通る前記電流に従って前記横方向センサ信号を生成するよう前記横方向光学センサ（１８４）が適応される請求項３１に記載の検出器（１１０）。
【請求項３３】
前記検出器（１１０）が、前記物体（１１２）の前記横方向位置に関する情報を、前記部分電極（１９４、１９６）を通る複数の電流の少なくとも１つの比率から導き出すよう適応される請求項３２に記載の検出器（１１０）。
【請求項３４】
前記少なくとも１個の横方向光学センサ（１８４）が少なくとも１個の透明な横方向光学センサを含む請求項３０から３３のいずれか一項に記載の検出器（１１０）。
【請求項３５】
さらに少なくとも１個の照明源（１５６）を含む請求項１から３４のいずれか一項に記載の検出器（１１０）。
【請求項３６】
前記検出器（１１０）がさらに少なくとも１個の撮像装置（２１４）を含む請求項１から３５のいずれか一項に記載の検出器（１１０）。
【請求項３７】
前記撮像装置（２１４）がカメラ、特に無機カメラ；モノクロムカメラ；マルチクロムカメラ；フルカラーカメラ；ピクセル化無機チップ；ピクセル化有機カメラ；ＣＣＤチップ、好ましくは多色ＣＣＤチップまたはフルカラーＣＣＤチップ；ＣＭＯＳチップ；ＩＲカメラ；ＲＧＢカメラのうち少なくとも１つを含む請求項３６に記載の検出器（１１０）。
【請求項３８】
前記縦方向光学センサ（１１４）が少なくとも１個の第１電極（２２８）、少なくとも１個の第２電極（２３０）、および前記第１電極（２２８）と前記第２電極（２３０）との間に位置する電流持続能力のある材料の層（２２６）を有する光検出器であり、前記第１電極（２２８）および前記第２電極（２３０）のうち少なくとも１個が透明な電極である請求項１から３７のいずれか一項に記載の検出器（１１０）。
【請求項３９】
電流持続能力のある前記材料が前記第１電極（２２８）と前記第２電極（２３０）との間に配置され、ＰＩＮダイオード（２３４）として配列され、前記ＰＩＮダイオード（２３４）がｎ型半導体層（２３８）とｐ型半導体層（２４０）との間に位置するｉ型半導体層（２３６）を含み、前記ｉ型半導体層（２３６）がｎ型半導体層（２３８）およびｐ型半導体層（２４０）それぞれの厚さを超える厚さを示す請求項１から３８のいずれか一項に記載の検出器（１１０）。
【請求項４０】
少なくとも１個の物体（１１２）を光学的に検出する検出器（１１０）であって、
少なくとも１個の縦方向光学センサ（１１４）であって、少なくとも１つのセンサ領域（１３０）を有し、前記光ビーム（１３２）による前記センサ領域（１３０）の照明に依存する形で少なくとも１つの縦方向センサ信号を生成するよう設計され、前記縦方向センサ信号は、照明の総出力が同じである場合、前記センサ領域（１３０）内の前記光ビーム（１３２）のビーム断面積（１７４）に依存し、前記縦方向光学センサ（１１４）は、前記照明の総出力が同じである場合に前記センサ領域（１３０）内の前記光ビーム（１３２）の前記ビーム断面積（１７４）に依存する少なくとも１つの縦方向センサ信号を生成することが可能であり、その結果、前記縦方向センサ信号の振幅は前記センサ領域（１３０）内で前記光ビーム（１３２）によって生成される光点の断面積の減少に伴って減少する、縦方向光学センサ（１１４）と、
少なくとも１個の評価装置（１４０）であって、前記縦方向光学センサ（１１４）の前記縦方向センサ信号を評価することによって、前記物体（１１２）の縦方向位置に関する少なくとも１項目の情報を生成するよう設計される、評価装置（１４０）と、を含む、請求項１から３９のいずれか一項に記載の検出器（１１０）。
【請求項４１】
少なくとも１個の物体（１１２）を光学的に検出する検出器（１１０）であって、
少なくとも１個の縦方向光学センサ（１１４）であって、少なくとも１つのセンサ領域（１３０）を有し、前記光ビーム（１３２）による前記センサ領域（１３０）の照明に依存する形で少なくとも１つの縦方向センサ信号を生成するよう設計され、前記縦方向センサ信号は、前記照明の総出力が同じである場合、前記センサ領域（１３０）内の前記光ビーム（１３２）のビーム断面積（１７４）に依存し、前記縦方向光学センサ（１１４）は、前記照明の総出力が同じである場合に前記センサ領域（１３０）内の前記光ビーム（１３２）の前記ビーム断面積（１７４）に依存する少なくとも１つの縦方向センサ信号を生成することが可能であり、前記縦方向センサ信号の最小値は前記センサ領域（１３０）に衝突する前記光ビーム（１３２）の断面積が最小となる条件下で発生する、縦方向光学センサ（１１４）と、
少なくとも１個の評価装置（１４０）であって、前記縦方向光学センサ（１１４）の前記縦方向センサ信号を評価することによって、前記物体（１１２）の縦方向位置に関する少なくとも１項目の情報を生成するよう設計される、評価装置（１４０）と、を含む、請求項１から４０のいずれか一項に記載の検出器（１１０）。
【請求項４２】
少なくとも１個の物体（１１２）を光学的に検出する検出器（１１０）であって、
少なくとも１個の縦方向光学センサ（１１４）であって、少なくとも１つのセンサ領域（１３０）を有し、光ビーム（１３２）による前記センサ領域（１３０）の照明に依存する形で少なくとも１つの縦方向センサ信号を生成するよう設計され、前記縦方向センサ信号は、照明の総出力が同じである場合、前記センサ領域（１３０）内の前記光ビーム（１３２）のビーム断面積（１７４）に依存し、前記縦方向センサ（１１４）は実質的に、０Ｈｚから５００Ｈｚの前記光ビームの変調周波数範囲では非周波数依存である、縦方向光学センサ（１１４）と、
少なくとも１個の評価装置（１４０）であって、前記縦方向光学センサ（１１４）の前記縦方向センサ信号を評価することによって、前記物体（１１２）の縦方向位置に関する少なくとも１項目の情報を生成するよう設計される、評価装置（１４０）と、を含む、請求項１から４１のいずれか一項に記載の検出器（１１０）。
【請求項４３】
少なくとも１個の物体（１１２）を光学的に検出する検出器（１１０）であって、
少なくとも１個の縦方向光学センサ（１１４）であって、少なくとも１つのセンサ領域（１３０）を有し、光ビーム（１３２）による前記センサ領域（１３０）の照明に依存する形で少なくとも１つの縦方向センサ信号を生成するよう設計され、前記縦方向センサ信号は、前記照明の総出力が同じである場合、前記センサ領域（１３０）内の前記光ビーム（１３２）のビーム断面積（１７４）に依存し、前記縦方向光学センサ（１１４）は光伝導性モードで駆動される少なくとも１個の光ダイオード（２５８）を含み、前記センサ領域（１３０）の導電性は、前記照明の総出力が同じである場合、前記センサ領域内の前記光ビームの前記ビーム断面積に依存し、前記縦方向センサ信号は前記導電性に依存する、縦方向光学センサ（１１４）と、
少なくとも１個の評価装置（１４０）であって、前記縦方向光学センサの前記縦方向センサ信号を評価することによって、前記物体（１１２）の縦方向位置に関する少なくとも１項目の情報を生成するよう設計される、評価装置（１４０）と、を含む、請求項１から４２のいずれか一項に記載の検出器（１１０）。
【請求項４４】
光ダイオード（２５８）が少なくとも１種のｐ型吸収材料（２４４）、少なくとも１つのｎ型半導体層（２３８）、および少なくとも一対の電極（１７６、１７８）を含む請求項４３に記載の検出器（１１０）。
【請求項４５】
ｐ型吸収材料（２４４）が第３族−第５族化合物、第２族−第６族化合物、第１族−第３族−第６族２化合物、および第１族２−第２族−第４族−第６族４化合物から成る群から選択される請求項４４に記載の検出器（１１０）。
【請求項４６】
ｐ型吸収材料（２４４）が非晶質シリコン（ａ−Ｓｉ）、非晶質シリコンを含む合金、微結晶シリコン（μｃ−Ｓｉ）、ゲルマニウム（Ｇｅ）、硫化銅インジウム（ＣＩＳ）、セレン化銅インジウムガリウム（ＣＩＧＳ）、硫化銅亜鉛スズ（ＣＺＴＳ）、セレン化銅亜鉛スズ（ＣＺＴＳｅ）、銅−亜鉛−スズ−硫黄−セレンカルコゲニド（ＣＺＴＳＳｅ）、テルル化カドミウム（ＣｄＴｅ）、テルル化水銀カドミウム（ＨｇＣｄＴｅ）、ヒ化インジウム（ＩｎＡｓ）、ヒ化インジウムガリウム（ＩｎＧａＡｓ）、アンチモン化インジウム（ＩｎＳｂ）、有機−無機ハロゲン化物ペロブスカイト、ならびにこれらの固溶体および／またはドープ変形から成る群から選択される請求項４５に記載の検出器（１１０）。
【請求項４７】
バイアス電圧が前記光ダイオード（２５８）全体にわたり逆バイアスモードで印加される請求項４３から４６のいずれか一項に記載の検出器（１１０）。
【請求項４８】
少なくとも１個の物体（１１２）の撮像のためのカメラ（２０２）であって、検出器（１１０）に関する請求項１から４７のいずれか一項に記載の検出器（１１０）を少なくとも１個含むカメラ（２０２）。
【請求項４９】
使用者（２１８）とマシン（２２２）との間で情報のうち少なくとも１つの項目を交換するためのヒューマンマシンインターフェース（２０４）であって、検出器（１１０）に関連する請求項１から４７のいずれか一項に記載の少なくとも１個の検出器（１１０）を含み、使用者（２１８）の幾何学的情報のうち少なくとも１つの項目を検出器（１１０）によって生成するように設計され、幾何学情報に対し、情報のうち少なくとも１つの項目を割り当てるように設計されるヒューマンマシンインターフェース（２０４）。
【請求項５０】
少なくとも１つの娯楽機能を実行するための娯楽装置（２０６）であって、ヒューマンマシンインターフェース（２０４）に関する請求項４９に記載のヒューマンマシンインターフェース（２０４）のうち少なくとも１つを含み、ヒューマンマシンインターフェース（２０４）を手段として情報のうち少なくとも１つの項目をプレーヤ（２１８）により入力可能となるように設計され、娯楽機能を情報に従って変えるように設計される娯楽装置（２０６）。
【請求項５１】
少なくとも１個の可動物体（１１２）の位置を追跡する追跡システム（２０８）であって、検出器（１１０）に関する請求項１から４７のいずれか一項に記載の検出器（１１０）を少なくとも１個含み、さらに少なくとも１個の、物体（１１２）の一連の位置を追跡するように適合される進路制御装置（２２４）を含み、各位置が特定の時点における物体（１１２）の少なくとも１つの縦方向位置に関する情報のうち少なくとも１つの項目を含む追跡システム（２０８）。
【請求項５２】
少なくとも１個の物体（１１２）の少なくとも１つの位置を判定する走査システムであって、検出器（１１０）に関する請求項１から４７のいずれか一項に記載の検出器（１１０）を少なくとも１個含み、さらに少なくとも１個の物体（１１２）の少なくとも１つの表面に位置する少なくとも１個の点の照明を目的に構成される少なくとも１本の光ビーム（１３２）を放出するように適合される少なくとも１個の照明源を含み、少なくとも１個の点と走査システムとの間の距離に関する情報のうち少なくとも１つの項目を少なくとも１個の検出器（１１０）の使用によって生成するように設計される走査システム。
【請求項５３】
請求項５１に記載の少なくとも１つの追跡システム（２０８）と、請求項５２に記載の少なくとも１つの走査システムとを含む立体視装置であって、前記追跡システム（２０８）および前記走査システムがそれぞれ少なくとも１個の縦方向光学センサ（１１４）を含み、これらが立体視装置の光軸（１１６）と平行な配向で整列されると同時に、個々の変位が前記立体視装置の前記光軸（１１６）に対して直角な配向を示す立体視装置。
【請求項５４】
少なくとも１個の物体（１１２）を光学的に検出する方法であって、
少なくとも１個の縦方向光学センサ（１１４）の使用によって少なくとも１つの縦方向センサ信号を生成する工程であって、前記縦方向センサ信号は光ビーム（１３２）による前記縦方向光学センサ（１１４）のセンサ領域（１３０）の照明に依存し、前記縦方向センサ信号は、照明の総出力が同じである場合、前記センサ領域（１３０）内の前記光ビーム（１３２）のビーム断面積（１７４）に依存し、前記センサ領域（１３０）は電流持続能力のある少なくとも１種の材料を含み、材料の少なくとも１つの特性は、前記照明の総出力が同じである場合、前記センサ領域（１３０）内の前記光ビーム（１３２）の前記ビーム断面積に依存し、前記縦方向センサ信号は前記少なくとも１つの特性に依存する、工程と、
前記縦方向光学センサ（１１４）の前記縦方向センサ信号を評価することによって前記物体（１１２）の縦方向位置に関する少なくとも１項目の情報を生成する工程と、を含む方法。
【請求項５５】
検出器（１１０）に言及している請求項１から４７のいずれか一項に記載の検出器（１１０）の、測距、特に交通技術における測距；位置測定、特に交通技術における位置測定；娯楽用途；セキュリティ用途；ヒューマンマシンインターフェース用途；追跡用途；走査用途；立体視用途；写真撮影用途；撮像用途またはカメラ用途；少なくとも１つの空間のマップ生成用のマッピング用途；車両向けのホーミングビーコンまたは追跡ビーコン検出器；熱シグネチャによる物体の距離および／または位置の測定；機械視覚用途；ロボット工学用途；物流用途から成る群から選択される用途を目的とする使用。